(57)【要約】【課題】洗濯機を組み込むことができ、より使い勝手のよいキッチン用キャビネットを提供する。【解決手段】キッチン用キャビネット１の構成を、一対の側壁１１，１２と、一対の側壁間で立設された間仕切り壁１３を備え、一方の側壁１１と間仕切り壁との間に流し台２０が設けられていると共に、他方の側壁１２と間仕切り壁との間に作業台３０が架渡されており、作業台の下方で側壁と間仕切り壁との間に洗濯機用の防水パン５０が配設されていることにより、作業台の下方に洗濯機収容空間Ｓを備えており、作業台は、開口３０ｈと、上下に回動することにより開口を開閉する蓋プレート３２を備えており、開口を蓋プレートで閉じている状態では単一面となる、構成とする。【選択図】図１
0003223438.tif 000002
【実用新案登録請求の範囲】
【請求項１】
一対の側壁と、該一対の側壁間で立設された間仕切り壁を備え、
前記側壁の一方と前記間仕切り壁との間に流し台が設けられていると共に、前記側壁の他方と前記間仕切り壁との間に作業台が架渡されており、
該作業台の下方で前記側壁と前記間仕切り壁との間に洗濯機用の防水パンが配設されていることにより、前記作業台の下方に洗濯機収容空間を備えており、
前記作業台は、開口と、上下に回動することにより前記開口を開閉する蓋プレートを備えており、前記開口を前記蓋プレートで閉じている状態では単一面となる
ことを特徴とするキッチン用キャビネット。
【請求項２】
前記流し台は、分岐管を有する水栓を備えていると共に、
流し台上面の高さが前記作業台より低いことにより、前記間仕切り壁は前記流し台上面より上方まで延出している部分を有しており、
前記延出している部分には、前記分岐管に接続されたパイプを挿通するための貫通孔が穿設されている
ことを特徴とする請求項１に記載のキッチン用キャビネット。
【請求項３】
前記防水パンの内部に、洗濯機からの排水を流通させる排水用パイプが横方向に配されて前記防水パンの側面に達しており、
前記流し台は、前記排水用パイプまたは前記排水用パイプに接続される他のパイプを接続させるジョイント部を有する排水管を備えている
ことを特徴とする請求項１または請求項２に記載のキッチン用キャビネット。
【考案の詳細な説明】
【技術分野】
【０００１】
本考案は、キッチン用キャビネットに関するものである。
【背景技術】
【０００２】
従前より、床面積の小さい賃貸住宅など居住スペースの狭小な住宅では、室外の廊下やベランダに洗濯機を置くことが想定されており、室内に洗濯機を置くためのスペースや給排水設備が設けられていないことがある。
【０００３】
ところが、近年では、室内に洗濯機を置くことができる住宅が好まれるようになり、室内に洗濯機を置くことができない賃貸住宅に入居者がみつからない傾向もある。しかしながら、狭小な住宅に洗濯機を置くためのスペースを新たに設けると、その分だけ居住スペースが狭くなることに加え、給排水設備を設ける大がかりな工事が必要である。そのため、賃貸住宅のオーナーなど住宅の供給者側からは、もともとは室内に洗濯機を置くことが想定されていなかった既存の住宅であっても、大がかりなリフォーム工事などを要することなく、且つ、居住空間を狭めることなく、室内に洗濯機を置くことができる住宅に改変することが要請されている。
【０００４】
そこで、本出願人は、狭小な住宅であっても必ず設置されるキッチン用キャビネットに、洗濯機を組み込むことを想到した。このようなキッチン用キャビネットとしては、流し台と調理台が並設されているミニキッチンであって、調理台の下方のスペースを洗濯機用の収容空間としたものが提案されている（特許文献１参照）。このミニキッチンは、洗濯機用の収容空間にスライド式の洗濯機設置台が設けられており、洗濯をするときは設置台ごと洗濯機を収容空間から引出して使用し、洗濯が済んだら洗濯機を収容空間に押し戻すものである。
【０００５】
しかしながら、特許文献１のミニキッチンでは、スライド式の台に載置されているとはいえ、重量物である洗濯機を洗濯のたびに移動させるため、労力負担が大きいものであった。また、洗濯機をスライドさせると、給水用パイプや排水用パイプも一緒に移動させなくてはならない。そのため、これらのパイプを長く設定する必要があり、洗濯機をスライドによって引き出す際に長いパイプも引き出されることとなるため、洗濯後に洗濯機を収容空間に収容させるときのパイプの始末が煩雑であった。
【先行技術文献】
【特許文献】
【０００６】
【特許文献１】実用新案登録第３１４８９５１号公報
【考案の概要】
【考案が解決しようとする課題】
【０００７】
そこで、本考案は、上記の実情を鑑み、洗濯機を組み込むことができ、より使い勝手のよいキッチン用キャビネットの提供を、課題とする。
【課題を解決するための手段】
【０００８】
上記課題を解決するため、本考案にかかるキッチン用キャビネットは、
「一対の側壁と、該一対の側壁間で立設された間仕切り壁を備え、
前記側壁の一方と前記間仕切り壁との間に流し台が設けられていると共に、前記側壁の他方と前記間仕切り壁との間に作業台が架渡されており、
該作業台の下方で前記側壁と前記間仕切り壁との間に洗濯機用の防水パンが配設されていることにより、前記作業台の下方に洗濯機収容空間を備えており、
前記作業台は、開口と、上下に回動することにより前記開口を開閉する蓋プレートを備えており、前記開口を前記蓋プレートで閉じている状態では単一面となる」ものである。
【０００９】
本構成のキッチン用キャビネットは、作業台の下方が洗濯機収容空間となっており、防水パンに洗濯機を載置して使用する。これにより、既存の住宅においてキッチン用に確保されていた空間の一部を使用して、洗濯機を置くことができる。
【００１０】
洗濯機を使用する際は、蓋プレートを上方に回動させることにより、開口を上方に開放させる。これにより、洗濯機の蓋を開けて洗濯槽を開放させることができ、洗濯物を出し入れすることができる。市販されている洗濯機は、洗濯槽の上方で蓋が開閉する上方開閉式の洗濯機と、蓋が前方で開閉するドラム式の洗濯機に大別されるが、一般的に上方開閉式の方がサイズの小さいものがある。本構成のキッチン用キャビネットは、洗濯機の上方で作業台の開口を開放させる構造を採用しているため、サイズが小さい洗濯機の市販品を選択することができ、キッチン用キャビネットの占める面積を抑えることができる。
【００１１】
また、洗濯機をスライド式の台に載置して引き出して使用し、使用後に収容空間に押し戻す従来のキッチン用キャビネット（特許文献１）とは異なり、洗濯に際して洗濯機を移動させる必要がないため、洗濯の作業が容易である。また、洗濯機を移動させる場合は、洗濯機への給水用パイプや洗濯機からの排水用パイプを長く設定する必要があり、洗濯機の移動に伴ってこれらのパイプも移動するところ、本構成のキッチン用キャビネットでは洗濯機を移動させる必要がないため、給水用パイプや排水用パイプを過不足のない長さに固定して、洗濯機の周囲にすっきりと配設することができる。
【００１２】
そして、蓋プレートで開口を閉じている状態では作業台は単一面となるため、調理などの作業を行う作業台として使用することができる。
【００１３】
本考案にかかるキッチン用キャビネットは、上記構成に加え、
「前記流し台は、分岐管を有する水栓を備えていると共に、
流し台上面の高さが前記作業台より低いことにより、前記間仕切り壁は前記流し台上面より上方まで延出している部分を有しており、
前記延出している部分には、前記分岐管に接続されたパイプを挿通するための貫通孔が穿設されている」ものとすることができる。
【００１４】
本構成では、流し台上面の高さを作業台より低くしていることにより、必然的に間仕切り壁が流し台上面より上方まで延出している部分を有することとなり、この延出部分に貫通孔が設けられている。従って、水栓の分岐管に接続した給水用パイプを、この貫通孔に通すことにより、この給水用パイプを洗濯機収容空間に引き入れることができる。これにより、流し台用の水栓に供給される水を、洗濯機まで導くことができる。換言すれば、洗濯機への給水のための設備を新たに設ける工事を要することなく、もともと住宅が備えている流し台への給水設備を、洗濯機への給水のために兼用することができる。
【００１５】
また、仮に、流し台上面の高さを作業台の高さと同一とした場合、一般に市販されている洗濯機の高さを考慮すると、流し台上面の高さが洗いもの等の水仕事に適した高さより高くなり、作業が行いにくいものとなりおそれがある。これに対し、本構成では、流し台上面の高さを作業台より低くしているため、洗濯機のサイズに影響を受けることなく、流し台の高さを水仕事のし易い高さに設定することができる。
【００１６】
本考案にかかるキッチン用キャビネットは、上記構成に加え、
「前記防水パンの内部に、洗濯機からの排水を流通させる排水用パイプが横方向に配されて前記防水パンの側面に達しており、
前記流し台は、前記排水用パイプまたは前記排水用パイプに接続される他のパイプを接続させるジョイント部を有する排水管を備えている」ものとすることができる。
【００１７】
本構成では、洗濯機からの排水を流通させる排水用パイプが、防水パンの内部に横方向に配されて、防水パンの側面まで達している。一方で、流し台の排水管は、パイプを接続させるジョイント部を有している。従って、洗濯機からの排水を流通させる排水用パイプ、または、この排水用パイプに接続される他のパイプを、ジョイント部に接続することにより、流し台の排水管を介して洗濯機からの排水を排出することができる。従って、もともと住宅が備えている流し台用の排水設備を、洗濯機からの排水のため兼用することができる。
【００１８】
以上のように、本考案によれば、洗濯機を組み込むことができ、より使い勝手のよいキッチン用キャビネットを、提供することができる。
【図面の簡単な説明】
【００１９】
【図１】本考案の一実施形態であるキッチン用キャビネットの斜視図である。
【図２】図１のキッチン用キャビネットの正面図（流し台の扉の図示を省略）である。
【図３】図２におけるＡ−Ａ線断面図である。
【図４】図１のキッチン用キャビネットの使用を説明する斜視図である。
【図５】他の実施形態のキッチン用キャビネットの正面図（流し台の扉の図示を省略）である。
【図６】棚部を有する実施形態のキッチン用キャビネットの正面図である。
【考案を実施するための形態】
【００２０】
以下、本考案の具体的な実施形態であるキッチン用キャビネット１について、図１乃至図４を用いて説明する。キッチン用キャビネット１は、流し台２０と作業台３０が並設されているものである。
【００２１】
より具体的には、キッチン用キャビネット１は、一対の側壁１１，１２と、一対の側壁１１，１２の間において平行に立設された間仕切り壁１３と、背面側で一対の側壁１１，１２間、または側壁１１，１２の一方と間仕切り壁１３とを連結している複数の背面板１４を備えている。流し台２０は一方の側壁１１と間仕切り壁１３との間に設けられており、作業台３０は他方の側壁１２と間仕切り壁１３との間に架渡されている。
【００２２】
作業台３０は、正面側に開放するコ字形の開口３０ｈを有しており、この開口３０ｈを蓋プレート３２が開閉する。蓋プレート３２は、ヒンジ３５，３６によって背面板１４に取り付けられており、上下方向に回動して開口３０ｈを開閉する。蓋プレート３２が開口３０ｈを閉じている状態では、開口周縁面３１と蓋プレート３２とは単一面となり、水平な作業台３０が形成される。なお、ヒンジ３５，３６はスライドヒンジであり、蓋プレート３２の裏面と背面板１４とを連結しているため、蓋プレート３２の表（おもて）面には現れず外観が良いと共に、作業台３０に凹凸が生じない。なお、本実施形態では、一方のヒンジ３５として開閉動作をゆっくり行わせるソフトダウン型のヒンジを使用しており、他方のヒンジ３６として重い蓋プレート３２を小さな力で持ち上げるための補助具が付属しているリフトアシスト型のヒンジを使用している。
【００２３】
作業台３０の下方の空間は洗濯機収容空間Ｓである。この洗濯機収容空間Ｓは、正面側で開放していると共に、蓋プレート３２が上方に回動している状態で上方に開放する。洗濯機収容空間Ｓの底部には、間仕切り壁１３と側壁１２それぞれの下端を連結するように、洗濯機用の防水パン５０が配設されている。また、洗濯機収容空間Ｓにおいて背面板１４には、住宅の商用電源に接続させる電気コンセント７８が設けられており、この電気コンセント７８に洗濯機６０の電源コードを接続することができる。
【００２４】
流し台２０には、シンク２１が開口している流し台上面２２において背面側に、水栓４０が設けられている。水栓４０は分岐菅４１を有しており、この分岐管４１には、洗濯機６０に給水するための図示しない給水用パイプを接続することができる。
【００２５】
流し台上面２２は、作業台３０（すなわち、開口３０ｈを閉じている蓋プレート３２と開口周縁面３１により形成される単一面）より高さが低い。そのため、間仕切り壁１３は、作業台上面３１より高い位置まで延出する部分を有しており、この延出部分に貫通孔１３ｈが穿設されている（図３参照）。水栓４０の分岐管４１に接続された給水用パイプを、この貫通孔１３ｈに通すことにより、給水用パイプを洗濯機収容空間Ｓに引き入れることができる。
【００２６】
流し台２０の下方では、側壁１１と間仕切り壁１３それぞれの下端付近を底面板２４が連結しており、底面板２４に孔部２４ｈが貫設されている。シンク２１から下方に延びた排水管２５は、この孔部２４ｈを貫通して住宅の排水設備に接続される。流し台２０の正面には、側壁１１または間仕切り壁１３にヒンジ（図示を省略）によって扉２３が取り付けられており、扉２３を開くことによってシンク２１の下方の空間が開放する。底面板２４には、排水管２５と干渉しない位置で物品を載置することができるため、シンク２１の下方の空間を調理器具や飲食料等を収容する空間として使用することができる。
【００２７】
上記構成のキッチン用キャビネット１は、防水パン５０に洗濯機６０を載置して使用する。これにより、既存の住宅においてキッチン用に確保されていた空間の一部を使用して、洗濯機６０を置くことができる。
【００２８】
洗濯機６０を使用する際は、蓋プレート３２を上方に回動させることにより、開口３０ｈを上方に開放させる。これにより、洗濯機６０の蓋６１を開けて洗濯槽を開放させることができ、洗濯物を出し入れすることができる。このように、洗濯機６０の上方で作業台３０の開口３０ｈを開放させることができるため、洗濯槽の上方に蓋６１を有するタイプの洗濯機６０を、洗濯機収容空間Ｓに設置して使用することができる。洗濯槽の上方に蓋６１を有するタイプの洗濯機６０は、蓋が前方で開閉するドラム式の洗濯機に比べて、サイズが小さい洗濯機の選択の幅が広い。そのため、キッチン用キャビネット１の占める面積を抑制することができ、既存の狭小な住宅に設置する用途に適している。
【００２９】
また、従来のキッチン用キャビネットとは異なり洗濯機を移動させる必要がなく、蓋プレート３２を開けるだけで洗濯機６０を使用することができ、使用後は蓋６１フレームを閉めるだけでよいため、手軽かつ容易に、洗濯を行うことができる。
【００３０】
そして、蓋プレート３２で開口３０ｈを閉じている状態では作業台３０は水平な単一面となるため、調理などの作業を行う作業台として使用することができる。なお、据置型のＩＨ調理器やカセットコンロなど可搬式の加熱調理器を使用すれば、蓋プレート３２で開口３０ｈを閉じた後の平らな作業台３０に加熱調理器を載置し、加熱調理を行うことができる。
【００３１】
更に、本実施形態のキッチン用キャビネット１では、流し台上面２２の高さが作業台３０より低い。仮に、流し台上面２２の高さを作業台３０の高さと同一とした場合、一般に市販されている洗濯機の高さを考慮すると、流し台上面２２の高さが洗いもの等の水仕事に適した高さより高くなるため、作業が行いにくいものとなり、水が使用者の前腕を肘に向かって伝わり落ちるなどの不具合が生じる。これに対し、キッチン用キャビネット１では、流し台上面２２の高さを作業台３０より低くしているため、洗濯機６０のサイズに影響を受けることなく、流し台２０の高さを水仕事のし易い高さに設定することができる。
【００３２】
加えて、流し台上面２２の高さを作業台３０より低くしていることにより、必然的に間仕切り壁１３が流し台上面２２より上方まで延出している部分を有することとなる。従って、この延出部分に設けた貫通孔１３ｈに、水栓４０の分岐管４１に接続された給水用パイプを通すことにより、給水用パイプを洗濯機収容空間Ｓに引き入れることができ、流し台２０用の水栓４０に供給される水を、極めて簡易な態様で洗濯機６０まで導くことができる。換言すれば、洗濯機６０への給水のための設備を新たに設ける工事を要することなく、もともと住宅が備えていた流し台２０への給水設備を、洗濯機６０への給水のために兼用することができる。
【００３３】
住宅が備えている流し台２０用の給水設備を、洗濯機６０への給水のために兼用することに加えて、更に、図５に示すように、もともと住宅が備えている流し台２０用の排水設備を、洗濯機６０からの排水のため兼用することもできる。図５のキッチン用キャビネット１ｂでは、防水パン５０の高さが大きく、洗濯機６０からの排水を流通させる排水用パイプ５１が、防水パン５０の内部に横方向に延びるように配されており、排水用パイプ５１は防水パン５０において間仕切り壁１３に対面している側壁まで達している。
【００３４】
防水パン５０の側壁部分で、排水用パイプ５１の端部には第二排水用パイプ５２が接続されており、第二排水用パイプ５２は間仕切り壁１３に貫設された孔部１３ｐに挿通されて、シンク２１の下方の空間に延出している。シンク２１の下方の空間では、シンク２１から下方に延びている排水管２５にジョイント部２６が設けられており、防水パン５０から延出させた第二排水用パイプ５２は、ジョイント部２６に接続されている。このような構成とすることにより、洗濯機６０からの排水のための設備を新たに設ける工事を要することなく、既存の住宅にキッチン用キャビネット１を設置して、洗濯機６０を使用することができる。なお、第二排水用パイプ５２が本発明の「排水用パイプに接続される他のパイプ」に相当する。
【００３５】
以上、本考案について好適な実施形態を挙げて説明したが、本考案はこの実施形態に限定されるものではなく、以下に示すように、本考案の趣旨を逸脱しない範囲において、種々の改良及び設計の変更が可能である。
【００３６】
例えば、図６に示すように、側壁１１，１２及び背面板１４を上方まで高く延出させて棚部１８を支持させることにより、棚部１８付きのキッチン用キャビネット１ｃとすることができる。図６の例では、上方まで高く延出させた側壁１１，１２間に天板１５を架渡し、天板１５から垂下させた吊り壁１７と側壁１１との間に、複数の棚部１８を設けている。棚部１８には、調理の際に作業台３０に載置して使用するための可搬式の加熱調理器７０を置いておくことができる。なお、棚部１８に加えて、水切り棚１８ｂを吊り壁１７と側壁１１との間に設けることもできる。
【００３７】
また、図６では、流し台２０の上方で天板１５に照明７１が取り付けられており、作業台３０の上方で天板１５に換気フード７２が取り付けられている場合を例示している。流し台２０や作業台３０より上方まで延出させた背面板１４には、図示のように、住宅の商用電源と接続させる電気コンセント７９を設けることができる。
【００３８】
更に上記では、洗濯機収容空間Ｓが正面側で開放している例を示したが、作業台３０の正面に扉を付けることにより、収容された洗濯機６０が目隠しされているキッチン用キャビネットとすることができる。
【符号の説明】
【００３９】
１，１ｂ，１ｃ  キッチン用キャビネット
１１  側壁
１２  側壁
１３  間仕切り壁
１３ｈ  貫通孔
２０  流し台
２２  流し台上面
２５  排水管
２６  ジョイント部
３０  作業台
３０ｈ  開口
３２  蓋プレート
４０  水栓
４１  分岐管
５０  防水パン
５１  排水用パイプ
５２  第二排水用パイプ（排水用パイプに接続される他のパイプ）
６０  洗濯機
Ｓ  洗濯機収容空間
【図１】
0003223438.tif 000003
【図２】
0003223438.tif 000004
【図３】
0003223438.tif 000005
【図４】
0003223438.tif 000006
【図５】
0003223438.tif 000007
【図６】
0003223438.tif 000008